(57)【特許請求の範囲】
【請求項１】
（Ａ）成分：下記一般式（３）で表される半極性界面活性剤と、
（Ｂ）成分：過酸化水素と、
（Ｃ）成分：炭素数８〜２４の脂肪酸又はその塩と、を含有し、
前記（Ａ）成分の含有量が、０．１〜５質量％であることを特徴とする繊維製品用の液体洗浄剤。
【化１】
0006607686.tif 000007
［式中、Ｒ８は、炭素数７〜２２の直鎖状もしくは分岐鎖状のアルキル基又は炭素数７〜２２の直鎖状もしくは分岐鎖状のアルケニル基であり、Ｒ９及びＲ１０は、それぞれ独立して炭素数１〜３のアルキル基又は炭素数１〜３のヒドロキシアルキル基であり、ｑは、１〜５の数である。］
【請求項２】
（Ａ）成分／（Ｃ）成分で表される質量比が、０．１〜５０であることを特徴とする請求項１に記載の繊維製品用の液体洗浄剤。
【請求項３】
界面活性剤の合計含有量が、４〜１５質量％であることを特徴とする請求項１又は２に記載の繊維製品用の液体洗浄剤。
【請求項４】
前記（Ｃ）成分の含有量が、０．０１〜５質量％であることを特徴とする請求項１〜３のいずれか一項に記載の繊維製品用の液体洗浄剤。
【請求項５】
前記（Ｂ）成分の含有量が、０．１〜５質量％であることを特徴とする請求項１〜４のいずれか一項に記載の繊維製品用の液体洗浄剤。
【発明の詳細な説明】
【技術分野】
【０００１】
本発明は、繊維製品用の液体洗浄剤に関する。
【背景技術】
【０００２】
ドラム型洗濯機の普及に伴い、低泡性の洗浄剤が求められるようになった。また、近年、環境負荷に対する意識の高まりから、より少ない水で衣料の洗浄及びすすぎが行われるようになった。洗浄時に洗浄液の泡立ちが多いと、すすぎ時に泡切れが悪くなりより多くの水が必要となる。このため、洗浄時の泡立ちが低減された洗浄剤が求められる。
さらに、衣類の着用や、洗浄を繰り返すことで生じる衣類の黄ばみは、未だ充分に解決されない問題の一つである。
特許文献１には、過酸化水素と、アルキレンオキサイド付加体と、非石鹸系アニオン界面活性剤と、飽和脂肪酸を含有し、泡立ちが低減され、柔軟剤の使用に伴う黄ばみを抑制できる液体漂白洗浄剤が開示されている。
【先行技術文献】
【特許文献】
【０００３】
【特許文献１】特開２０１０−２２９４０５号公報
【発明の概要】
【発明が解決しようとする課題】
【０００４】
しかしながら、特許文献１の技術では、泡立ちの低減効果が充分に満足できるものではなかった。また、衣類の着用や洗浄を繰り返すことで生じる衣類の黄ばみに対する洗浄力が充分に満足できるものでなかった。
本発明は上記事情に鑑みてなされたものであり、泡立ちの低減効果により優れ、かつ、衣類の黄ばみに対する洗浄力により優れる繊維製品用の液体洗浄剤を目的とする。
【課題を解決するための手段】
【０００５】
本発明の繊維製品用の液体洗浄剤は、（Ａ）成分：半極性界面活性剤と、（Ｂ）成分：過酸化水素と、（Ｃ）成分：炭素数８〜２４の脂肪酸又はその塩と、を含有することを特徴とする。また、本発明の繊維製品用の液体洗浄剤は、（Ａ）成分／（Ｃ）成分で表される質量比が、０．１〜５０であることが好ましい。
【発明の効果】
【０００６】
本発明の繊維製品用の液体洗浄剤は、泡立ちの低減効果により優れ、かつ、衣類の黄ばみに対する洗浄力により優れる。
【発明を実施するための形態】
【０００７】
（繊維製品用の液体洗浄剤）
本発明の繊維製品用の液体洗浄剤（以下、単に「液体洗浄剤」ということがある）は、（Ａ）〜（Ｃ）成分を含有する液体組成物である。
本発明の液体洗浄剤には、液体漂白剤も含まれる。
【０００８】
＜（Ａ）成分＞  
（Ａ）成分は、半極性界面活性剤である。本発明の液体洗浄剤は、（Ａ）成分を含有することで、泡立ちを低減しながら、衣類等の繊維製品の黄ばみに対する洗浄力を高められる。
【０００９】
半極性界面活性剤としては、アミンオキシド型界面活性剤が挙げられる。
アミンオキシド型界面活性剤としては、例えば下記一般式（１）で表される化合物が挙げられる。
【００１０】
【化１】
0006607686.tif 000002
［式中、Ｒ１は、炭素数７〜２２の直鎖状もしくは分岐鎖状のアルキル基又は炭素数７〜２２の直鎖状もしくは分岐鎖状のアルケニル基であり、Ｘは、−ＣＯＮＨ−、−ＮＨＣＯ−、−ＣＯＯ−又は−ＯＣＯ−であり、Ｒ２は、炭素数１〜５のアルキレン基であり、Ｒ３及びＲ４は、それぞれ独立して炭素数１〜３のアルキル基又は炭素数１〜３のヒドロキシアルキル基であり、ｐは、０又は１の数である。］
【００１１】
前記式（１）中、Ｒ１は、炭素数７〜２２の直鎖状もしくは分岐鎖状のアルキル基が好ましく、炭素数９〜１４の直鎖状もしくは分岐鎖状のアルキル基がより好ましい。
前記式（１）中、Ｘは、−ＣＯＮＨ−又は−ＮＨＣＯ−が好ましく、−ＣＯＮＨ−がより好ましい。
前記式（１）中、Ｒ２は、炭素数１〜３のアルキレン基が好ましく、炭素数３のプロピレン基がより好ましい。
前記式（１）中、Ｒ３及びＲ４は、それぞれ独立して炭素数１〜３のアルキル基が好ましく、メチル基がより好ましい。中でもＲ３及びＲ４がいずれもメチル基がより好ましい。
前記式（１）中、ｐは、１が好ましい。
一般式（１）で表されるアミンオキシド型界面活性剤は、いずれか１種が単独で用いられてもよいし、２種以上が組み合わされて用いられてもよい。
【００１２】
一般式（１）で表されるアミンオキシド型界面活性剤の中でも、下記一般式（２）又は一般式（３）で表される化合物が好ましく、一般式（３）で表される化合物がより好ましい。
【００１３】
【化２】
0006607686.tif 000003
［式中、Ｒ５は、炭素数８〜１８の直鎖状もしくは分岐鎖状のアルキル基又は炭素数８〜１８の直鎖状もしくは分岐鎖状のアルケニル基であり、Ｒ６及びＲ７は、それぞれ独立して炭素数１〜３のアルキル基又は炭素数１〜３のヒドロキシアルキル基である。］
【００１４】
前記式（２）中、Ｒ５は、炭素数８〜１８の直鎖状もしくは分岐鎖状のアルキル基が好ましく、炭素数１０〜１４の直鎖状もしくは分岐鎖状のアルキル基がより好ましい。
前記式（２）中、Ｒ６及びＲ７は、それぞれ独立して炭素数１〜３のアルキル基が好ましく、メチル基がより好ましい。中でもＲ６及びＲ７がいずれもメチル基がより好ましい。
一般式（２）で表される化合物は、いずれか１種が単独で用いられてもよいし、２種以上が組み合わされて用いられてもよい。
【００１５】
【化３】
0006607686.tif 000004
［式中、Ｒ８は、炭素数７〜２２の直鎖状もしくは分岐鎖状のアルキル基又は炭素数７〜２２の直鎖状もしくは分岐鎖状のアルケニル基であり、Ｒ９及びＲ１０は、それぞれ独立して炭素数１〜３のアルキル基又は炭素数１〜３のヒドロキシアルキル基であり、ｑは、１〜５の数である。］
【００１６】
前記式（３）中、Ｒ８は、炭素数７〜２２の直鎖状もしくは分岐鎖状のアルキル基が好ましく、炭素数９〜１３の直鎖状もしくは分岐鎖状のアルキル基がより好ましい。
前記式（３）中、Ｒ９及びＲ１０は、それぞれ独立して炭素数１〜３のアルキル基が好ましく、メチル基がより好ましい。中でもＲ９及びＲ１０がいずれもメチル基がより好ましい。
前記式（３）中、ｑは、１〜３が好ましく、３がより好ましい。
一般式（３）で表される化合物は、いずれか１種が単独で用いられてもよいし、２種以上が組み合わされて用いられてもよい。
【００１７】
（Ａ）成分としては、例えば、カプリルジメチルアミンオキシド、ラウリルジメチルアミンオキシド、ミリスチルジメチルアミンオキシド、パルミチルジメチルアミンオキシド、ステアリルジメチルアミンオキシド、オレイルジメチルアミンオキシド、ヤシアルキルジメチルアミンオキシド、ラウリルジエチルアミンオキシド、カプリル酸アミドプロピルジメチルアミンオキシド、ラウリン酸アミドプロピルジメチルアミンオキシド、ミリスチン酸アミドプロピルジメチルアミンオキシド、パルミチン酸アミドプロピルジメチルアミンオキシド、ステアリン酸アミドプロピルジメチルアミンオキシド、ベヘニン酸アミドプロピルジメチルアミンオキシド、オレイン酸アミドプロピルジメチルアミンオキシド、ヤシ脂肪酸アミドプロピルジメチルアミンオキシド等が挙げられる。これらの化合物は、いずれか１種が単独で用いられてもよいし、２種以上が組み合わされて用いられてもよい。
【００１８】
（Ａ）成分の含有量は、液体洗浄剤の総質量に対して、０．１〜５質量％が好ましく、０．２〜２質量％がより好ましく、０．５〜１．５質量％がさらに好ましい。（Ａ）成分の含有量が０．１質量％以上であると、繊維製品の黄ばみに対する洗浄力が高められやすくなる。また、（Ａ）成分の含有量が５質量％以下であると、泡立ちが低減されやすくなる。
【００１９】
＜（Ｂ）成分＞
（Ｂ）成分は、過酸化水素である。本発明の液体洗浄剤は、（Ｂ）成分を含有することで繊維製品の黄ばみに対する洗浄力が高められる。また、（Ｂ）成分を、上記（Ａ）成分と組み合わせて用いることで、繊維製品の黄ばみに対する洗浄力が高められ、かつ、液体洗浄剤の泡立ちを低減できる。
（Ｂ）成分の含有量は、液体洗浄剤の総質量に対して、０．１〜５質量％が好ましく、１〜４質量％がより好ましく、１．５〜３質量％がさらに好ましい。（Ｂ）成分の含有量が、前記の好ましい範囲の下限値以上であると、繊維製品の黄ばみに対する洗浄力が高められやすくなる。（Ｂ）成分の含有量が、前記の好ましい範囲の上限値以下であると、液体洗浄剤の安定性が高められ、液体洗浄剤を容器に充填して保存した際に容器の変形等が生じるのを抑制しやすくなる。
【００２０】
＜（Ｃ）成分＞
（Ｃ）成分は、炭素数８〜２４の脂肪酸（高級脂肪酸）又はその塩である。
本発明の液体洗浄剤は、（Ｃ）成分を含有することで、液体洗浄剤の泡立ちを低減できる。また、（Ｃ）成分を、上記（Ａ）成分と組み合わせて用いることで、液体洗浄剤の泡立ちを低減でき、かつ、繊維製品の黄ばみに対する洗浄力が高められる。
（Ｃ）成分としては、炭素数８〜２４の飽和若しくは不飽和脂肪酸又はこれらの塩が挙げられる。
（Ｃ）成分としては、炭素数１０〜２０の飽和若しくは不飽和脂肪酸又はこれらの塩が好ましい。
【００２１】
（Ｃ）成分としては、例えば、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸又はその塩、ヤシ脂肪酸（ヤシ油脂肪酸）、パーム油脂肪酸、パーム核油脂肪酸、菜種油脂肪酸、大豆油脂肪酸、牛脂脂肪酸、豚脂脂肪酸、前記単一脂肪酸の混合物等の混合脂肪酸又はその塩等が挙げられる。これらのなかでも、混合脂肪酸又はその塩が好ましく、ヤシ脂肪酸、パーム油脂肪酸、パーム核油脂肪酸、牛脂脂肪酸又はこれらの塩がより好ましく、ヤシ脂肪酸又はその塩がさらに好ましい。（Ｃ）成分として混合脂肪酸又はその塩が用いられると、泡立ちの低減効果がより得られやすくなる。さらに、黄ばみに対する洗浄力がより高められやすくなる。
脂肪酸の塩としては、ナトリウム、カリウム等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩等が挙げられる。
【００２２】
（Ｃ）成分は、いずれか１種が単独で用いられてもよいし、２種以上が組み合わされて用いられてもよい。
（Ｃ）成分の含有量は、液体洗浄剤の総質量に対して、０．０１〜５質量％が好ましく、０．３〜３質量％がより好ましく、０．５〜２質量％がさらに好ましい。（Ｃ）成分の含有量が上記の好ましい範囲の下限値以上であると、泡立ちが低減されやすくなる。さらに、黄ばみに対する洗浄力が高められやすくなる。（Ｃ）成分の含有量が上記の好ましい範囲の上限値以下であると、低温環境下における液体洗浄剤の外観安定性が高められやすくなる。
【００２３】
（Ｃ）成分に対する（Ａ）成分の質量比［（Ａ）成分の含有質量／（Ｃ）成分の含有質量、以下「Ａ／Ｃ比」ともいう。］は、０．１〜５０が好ましく、０．３〜２０がより好ましく、０．５〜５がさらに好ましい。Ａ／Ｃ比が前記の好ましい範囲の下限値以上であると、黄ばみに対する洗浄力が高められやすくなる。Ａ／Ｃ比が前記の好ましい範囲の上限値以下であると、泡立ちが低減されやすくなる。
【００２４】
（Ｂ）成分に対する（Ａ）成分の質量比［（Ａ）成分の含有質量／（Ｂ）成分の含有質量、以下「Ａ／Ｂ比」ともいう。］は、０．０１〜３．０が好ましく、０．１〜２．０がより好ましく、０．１５〜１．５がさらに好ましく、０．１５〜１．０が特に好ましい。Ａ／Ｂ比が前記の好ましい範囲であると、黄ばみに対する洗浄力が高められやすくなる。
【００２５】
＜溶媒＞
本発明の液体洗浄剤は、製造時のハンドリングのし易さ、使用する際の水への溶解性等の観点から、溶媒として水を含有することが好ましい。液体洗浄剤中の水の含有量は、特に限定されないが、液体洗浄剤の総質量に対して３０質量％以上が好ましく、５０〜９９質量％がより好ましく、６０〜９８質量％がさらに好ましく、７０〜９７質量％が特に好ましい。
【００２６】
＜その他の成分＞
本発明の液体洗浄剤は、上記（Ａ）〜（Ｃ）成分以外に、液体洗浄剤に通常用いられるその他の成分を含有してもよい。
その他の成分としては、例えば、（Ａ）成分及び（Ｃ）成分以外の界面活性剤、漂白活性化剤、キレート剤、ラジカルトラップ剤、溶剤、ハイドロトロープ剤、無機塩類、ホウ酸化合物、ポリオール化合物、香料、抗菌剤、ｐＨ調整剤などが挙げられる。
【００２７】
上記（Ａ）成分及び（Ｃ）成分以外の界面活性剤としては、ノニオン界面活性剤、（Ｃ）成分以外のアニオン界面活性剤、カチオン界面活性剤、両性界面活性剤を配合することができる。
ノニオン界面活性剤としては、例えば高級アルコール、アルキルフェノール、高級脂肪酸、高級脂肪酸アルキルエステル又は高級アミン等にアルキレンオキシドを付加したポリオキシアルキレン型ノニオン界面活性剤、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、硬化ヒマシ油のアルキレンオキシド付加体、糖脂肪酸エステル、Ｎ−アルキルポリヒドロキシ脂肪酸アミド、アルキルグリコシド等が挙げられる。
ノニオン界面活性剤は、いずれか１種が単独で用いられてもよいし、２種以上が組み合わされて用いられてもよい。
【００２８】
本発明の液体洗浄剤がノニオン界面活性剤を含有する場合、ノニオン界面活性剤の含有量は、液体洗浄剤の総質量に対して、０質量％超６０質量％以下が好ましく、１〜３０質量％がより好ましく、２〜１５質量％がさらに好ましく、３〜８質量％が特に好ましい。
また、ノニオン界面活性剤の含有量は、界面活性剤の合計含有質量に対して、０質量％超９５質量％以下が好ましく、４０〜８５質量％がより好ましく、５０〜７０質量％がさらに好ましい。
ノニオン界面活性剤の含有量が上記の好ましい範囲の下限値以上であると、黄ばみに対する洗浄力が高められやすくなる。さらに、液体洗浄剤の外観安定性が高められやすくなる。ノニオン界面活性剤の含有量が上記の好ましい範囲の上限値以下であると、泡立ちの低減効果が得られやすくなる。
【００２９】
（Ｃ）成分以外のアニオン界面活性剤（以下、単に「アニオン界面活性剤」という。）としては、特に限定されず、繊維製品用等の洗浄剤に通常用いられているアニオン界面活性剤が挙げられる。
アニオン界面活性剤としては、例えば、直鎖アルキルベンゼンスルホン酸又はその塩；α−オレフィンスルホン酸塩；直鎖または分岐鎖のアルキル硫酸エステル塩；アルキルエーテル硫酸エステル塩またはアルケニルエーテル硫酸エステル塩；アルカンスルホン酸塩；α−スルホ脂肪酸エステル塩；アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩、マグネシウム等のアルカリ土類金属塩、モノエタノールアミン塩、ジエタノールアミン塩などのアルカノールアミン塩等が挙げられる。
【００３０】
上記のうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩またはアルケニルエーテル硫酸エステル塩としては、炭素数１０〜２０の直鎖または分岐鎖のアルキル基もしくはアルケニル基を有し、平均１〜１０モルのエチレンオキシドを付加したポリオキシエチレンアルキルエーテル硫酸エステル塩又はポリオキシエチレンアルケニルエーテル硫酸エステル塩が好ましい。
アルカンスルホン酸塩としては、炭素数１０〜２０、好ましくは１４〜１７のアルキル基を有する２級アルカンスルホン酸塩が好ましい。
α−スルホ脂肪酸エステル塩としては、炭素数１０〜２０のα−スルホ脂肪酸エステル塩が好ましい。
アニオン界面活性剤は、いずれか１種が単独で用いられてもよいし、２種以上が組み合わされて用いられてもよい。
【００３１】
カチオン界面活性剤としては、アルキルトリメチルアンモニウム塩、ジアルキルジメチルアンモニウム塩、アルキルベンジルジメチルアンモニウム塩、アルキルピリジニウム塩等が挙げられる。
両性界面活性剤としては、アルキルベタイン型、アルキルアミドベタイン型、イミダゾリン型、アルキルアミノスルホン酸型、アルキルアミノカルボン酸型、アルキルアミドカルボン酸型、アミドアミノ酸型、リン酸型等の両性界面活性剤が挙げられる。
これらの界面活性剤は、いずれか１種が単独で用いられてもよいし、２種以上が組み合わされて用いられてもよい。
【００３２】
本発明の液体洗浄剤は、界面活性剤の合計含有量が、液体洗浄剤の総質量に対して、２〜６０質量％が好ましく、３〜３０質量％がより好ましく、４〜１５質量％がさらに好ましく、６〜１０質量％が特に好ましい。
界面活性剤の合計含有量が前記の好ましい範囲の下限値以上であると、黄ばみに対する洗浄力が高められやすくなる。界面活性剤の合計含有量が前記の好ましい範囲の上限値以下であると、泡立ちの低減効果が高められやすくなる。
【００３３】
キレート剤としては、エチレンジアミン四酢酸、ニトリロ三酢酸、グリコールエチレンジアミン六酢酸、β−アラニンジ酢酸、アスパラギン酸ジ酢酸、メチルグリシンジ酢酸、イミノジコハク酸等のアミノカルボン酸類又はその塩；１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）等の有機ホスホン酸類又はその塩；ジグリコール酸、クエン酸、酒石酸、シュウ酸、グルコン酸等の有機酸類又はその塩等が挙げられる。
本発明の液体洗浄剤がキレート剤を含有する場合、キレート剤の含有量は、液体洗浄剤の総質量に対して、０．１〜１０質量％が好ましく、０．２〜４質量％がより好ましく、０．５〜２質量％がさらに好ましい。
【００３４】
抗菌剤としては、ダイクロサン、トリクロサン、ビス−（２−ピリジルチオ−１−オキシド）亜鉛、ポリヘキサメチレンビグアニド塩酸塩、８−オキシキノリン、ポリリジン等が挙げられる。
本発明の液体洗浄剤が抗菌剤を含有する場合、抗菌剤の含有量は、液体洗浄剤の総質量に対して、０質量％超３質量％以下が好ましく、０．００１〜１質量％がより好ましく、０．００５〜０．５質量％がさらに好ましく、０．０１〜０．３質量％が特に好ましい。
【００３５】
ｐＨ調整剤としては、例えば、塩酸、硫酸、リン酸、水酸化ナトリウム、水酸化カリウム、モノエタノールアミン、ジエタノールアミン、トリエタノールアミン、アンモニア等が挙げられる。
【００３６】
本発明の液体洗浄剤の２５℃でのｐＨは、ｐＨ２〜９が好ましく、ｐＨ３〜７がより好ましく、ｐＨ４〜６がさらに好ましい。液体洗浄剤のｐＨが前記下限値以上であると、液体洗浄剤の外観安定性が高められやすくなる。液体洗浄剤のｐＨが前記上限値以下であると、泡立ちの低減効果が高められやすくなる。
なお、本発明における液体洗浄剤の２５℃でのｐＨは、試料を２５℃に調整し、ｐＨメーター（例えば、東亜ディーケーケー株式会社製の製品名「ＨＭ−３０Ｇ」を使用）等により測定される値を示す。
【００３７】
本発明の液体洗浄剤の２５℃での粘度は、１０〜３００ｍＰａ・ｓが好ましく、２５〜２００ｍＰａ・ｓがより好ましい。粘度が前記の好ましい範囲内であれば、液体洗浄剤を計量キャップ等で計り取りやすくなる。また、塗布洗浄に用いる際に、液体洗浄剤を繊維製品等に塗布し易くなる。
なお、本発明における液体洗浄剤の２５℃での粘度は、試料を２５℃に調整し、Ｂ型粘度計（ＴＯＫＩＭＥＣ社製）を用いて測定される値を示す（測定条件の一例：ロータＮｏ．２、回転数６０ｒｐｍ、回転開始から１分後の粘度を測定する）。
【００３８】
（繊維製品用の液体洗浄剤の製造方法）
本発明の液体洗浄剤は、例えば上記（Ａ）成分〜（Ｃ）成分と、必要に応じて任意成分とを、溶媒である水に溶解し、ｐＨ調整剤を用いて所定のｐＨに調整することにより製造できる。
【００３９】
本発明の液体洗浄剤は、一般的に用いられている容器に収容することができる。かかる容器としては、例えば、計量キャップを備えたノズル型容器又は中栓型容器、自動計量機構もしくは簡易計量機構を備えたスクイズ容器又はポンプ容器、液を吹きかけるもしくは泡状に塗布するトリガー容器又はスクイズ容器、液を塗りつける塗布面を持った塗布容器、詰め替え容器（パウチ、薄肉ボトル、付け替えボトル等）等が挙げられる。
【００４０】
（繊維製品用の液体洗浄剤の使用方法）
本発明の液体洗浄剤の使用方法は、例えば、液体洗浄剤を洗濯時に被洗濯物と一緒に水に投入する方法、予め水に溶解しこれに被洗濯物を浸漬する方法等が挙げられる。また、液体洗浄剤を被洗濯物に塗布して一定時間放置し、その後、通常の洗濯を行ってもよい。
本発明の液体洗浄剤の洗浄対象としては、特に限定されないが、例えば、衣料、布帛、カーテン、シーツ等が挙げられる。
【００４１】
以上、説明したとおり、本発明の衣料用洗剤は、（Ａ）成分〜（Ｃ）成分を含有するため、泡立ちの低減効果により優れ、かつ、繊維製品等の黄ばみに対する洗浄力により優れる。
【実施例】
【００４２】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。
【００４３】
＜Ａ成分＞
Ａ−１：ラウリン酸アミドプロピルジメチルアミンオキシド、クラリアント社製、商品名「ＧＥＮＡＭＩＮＯＸ  ＡＰ」。；一般式（３）におけるＲ８＝炭素数１１の直鎖状アルキル基、Ｒ９＝メチル基、Ｒ１０＝メチル基、ｑ＝３。
Ａ−２：ｎ−ドデシルジメチルアミンオキシド、ライオン・アクゾ株式会社製、商品名「アロモックスＤＭ１２Ｄ−Ｗ」；一般式（２）におけるＲ５＝炭素数１２の直鎖状アルキル基、Ｒ６＝メチル基、Ｒ７＝メチル基。
【００４４】
＜Ｂ成分＞
Ｂ−１：過酸化水素、３５％工業用過酸化水素、三菱ガス化学株式会社製。
【００４５】
＜Ｃ成分＞
Ｃ−１：ヤシ脂肪酸、日油株式会社製、商品名「椰子脂肪酸」。
Ｃ−２：ラウリン酸、日油株式会社製、商品名「ラウリン酸」。
【００４６】
＜Ａ’成分＞
Ａ’−１：ドデシルトリメチルアンモニウムクロリド、ライオン・スペシャリティケミカルズ株式会社製、商品名「アーカード１２−３７Ｗ」。
【００４７】
＜任意成分＞
・ノニオン界面活性剤ａ：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、６モル相当のエチレンオキシドを付加したもの、ライオン株式会社製、商品名「レオックスＣＬ−６０」。
・ノニオン界面活性剤ｂ：炭素数１２の第２級アルコール及び炭素数１４の第２級アルコールに、７モル相当のエチレンオキシドを付加したもの、株式会社日本触媒製、商品名「ソフタノール７０」。下記一般式（ｎ１）で表され、Ｒ２１＝炭素数１２の第２級アルキル基及び炭素数１４の第２級アルキル基、ｓ＝７である化合物。
Ｒ２１−Ｏ−（ＥＯ）ｓ−Ｈ  ・・・（ｎ１）
・ノニオン界面活性剤ｃ：天然アルコール（質量比で炭素数１２アルコール／炭素数１４アルコール＝７／３）に、８モル相当のエチレンオキシド、２モル相当のプロピレンオキシド、８モル相当のエチレンオキシドをこの順にブロック付加したもの。下記一般式（ｎ２）で表され、Ｒ２２＝炭素数１２のアルキル基及び炭素数１４のアルキル基、ｔ＝８、ｕ＝２、ｖ＝８である化合物。
Ｒ２２−Ｏ−（ＥＯ）ｔ−（ＰＯ）ｕ−（ＥＯ）ｖ−Ｈ・・・（ｎ２）
・ノニオン界面活性剤ｄ：炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、１５モル相当のエチレンオキシドを付加したもの、ライオンケミカル社製、商品名「ＬＭＡＯ−９０」。
・アニオン界面活性剤ａ：直鎖アルキル（炭素数１０〜１４）ベンゼンスルホン酸ナトリウム、ライオン株式会社製、商品名「ライポンＬＳ２５０」。
・アニオン界面活性剤ｂ：２級アルカンスルホン酸ナトリウム、クラリアント・ジャパン社製、商品名「ＳＡＳ３０」
・キレート剤ａ：１−ヒドロキシエタン−１，１−ジホスホン酸、ローディア社製、商品名「ＢＲＩＱＵＥＳＴ  ＡＤＰＡ」。
・キレート剤ｂ：クエン酸、関東化学株式会社製、試薬「くえん酸」。
・ラジカルトラップ剤：ｐ−メトキシフェノール、川口化学工業社製、商品名「ＭＱ−Ｆ」。
・溶剤ａ：ジエチレングリコールモノフェニルエーテル、日本乳化剤株式会社製、商品名「ＰｈＤＧ（９０）」。
・溶剤ｂ：ブチルカルビトール、日本乳化剤株式会社製。
・ハイドロトロープ剤：ｐ−トルエンスルホン酸ナトリウム、協和発酵工業株式会社製、商品名「ＰＴＳ酸」。
・ｐＨ調整剤：硫酸（東邦亜鉛株式会社製）、水酸化ナトリウム（鶴見曹達株式会社製）。
・溶媒：精製水。
【００４８】
（実施例１〜２０、比較例１〜４）
＜繊維製品用の液体洗浄剤の製造＞
表１〜２に示す組成に従い、（Ａ）成分又は（Ａ’）成分と、（Ｂ）成分と、（Ｃ）成分と、任意成分（水及びｐＨ調整剤を除く）とを水に加え混合した。これをｐＨ調整剤で表中のｐＨ値に調整して、実施例１〜２０、比較例４の液体洗浄剤を得た。
また、（Ａ）〜（Ｃ）成分のいずれかを水に加えなかったこと以外は、上記と同様にして、比較例１〜３の液体洗浄剤を得た。
表１〜２に、得られた各例の液体洗浄剤の組成（配合成分、含有量（質量％））を示す。
表中、空欄の配合成分がある場合、その配合成分は配合されていない。
表中、配合成分の含有量は純分換算量を示す。
ｐＨ調整剤の含有量を示す「適量」とは、液体洗浄剤のｐＨ（２５℃）を表中のｐＨ値にするために加えたｐＨ調整剤（硫酸又は水酸化ナトリウム）の総量を示す。
精製水の含有量を示す「バランス」は、液体洗浄剤に含まれる全配合成分の合計の配合量（質量％）が１００質量％となるように加えられる残部を意味する。
表中、比較例４の「Ａ／Ｃ比」、「Ａ／Ｂ比」は、（Ｃ）成分に対する（Ａ’）成分の質量比、（Ｂ）成分に対する（Ａ’）成分の質量比をそれぞれ示す。
ただし、実施例１７、１８は、参考例である。
【００４９】
各例の液体洗浄剤について、泡立ちの低減効果及び衣類の黄ばみに対する洗浄力を以下のように評価した。評価結果を表１に示す。
【００５０】
（泡立ちの低減効果の評価）
ＣａＣｌ２でドイツ硬度３°ＤＨに調整した人工硬水に、各例の液体洗浄剤を溶解し洗浄液を調製した（濃度６６７ｐｐｍ）。
この洗浄液２０ｇを、１００ｍＬの栓付きエプトン管に入れ、このエプトン管を手で震盪した３分後に、泡の量を測定した。震盪は１ストローク／秒で３０回行った。泡の量の測定は、泡と洗浄液との境界から、泡の上端面までの体積（高さ）をエプトン管の目盛で読み取った。泡と洗浄液との境界からの高さ（泡高、単位：ｍｍ）に基づいて、下記の判断基準で評価した。この泡高の値が小さいほど泡立ちの低減効果に優れると評価できる。◎、○、△を合格とした。
［泡立ちの低減効果の判断基準］
◎：０ｍｍ以上１５ｍｍ未満。
○：１５ｍｍ以上３０ｍｍ未満。
△：３０ｍｍ以上４０ｍｍ未満。
×：４０ｍｍ以上。
【００５１】
（黄ばみに対する洗浄力の評価）
＜評価布の作成＞
市販の綿肌シャツ（ＢＶＤ社製、綿１００％）を２０〜３０代男性が１日着用した。前記着用後の綿肌シャツと、市販の綿肌シャツ（ＢＶＤ社製、綿１００％）とを合計７００ｇになるように調整し、全自動洗濯機（Ｈａｉｅｒ社製、ＪＷ−Ｚ２３Ａ）に投入した。次いで衣料用液体洗剤（ＪＡＦＥＴ標準洗剤）を１６ｍＬ投入し、洗浄、すすぎ、脱水を前記洗濯機の標準コースで行い上記綿肌シャツを洗濯した。洗濯後の綿肌シャツを衣類用電気乾燥機（ＴＯＳＨＩＢＡ社製、ＥＤ−４５Ｃ）の標準コースで乾燥した。
この着用から、洗濯、乾燥までの操作を２０回繰り返した衣類を、引き出し棚に室温で６ヶ月間保管し、試験衣料とした。この試験衣料の胴部から５ｃｍ×５ｃｍの大きさの布を切り出し、反射率を測色色差計（日本電色社製「ＳＥ２０００」）で測定し、ｂ値がほぼ同じ（ｂ値＝８±０．５）のものを評価布（洗浄前の評価布）とした。
＜評価方法＞
上記評価布５枚をプラスチック製シャーレの上に重ならないように広げ、評価布１枚につき各例の液体洗浄剤を０．３ｍＬずつ滴下した後、室温で１０分間放置した。放置後の評価布と、チャージ布（綿メリヤス布）４３ｇとを、水道水（１５℃、３°ＤＨ硬水）９００ｍＬとともに洗浄試験機（Ｔｅｒｇ−Ｏ−Ｔｏｍｅｔｅｒ）に入れ、１２０ｒｐｍで１０分間洗浄した。洗浄後に、脱水を行い、水道水（１５℃、３°ＤＨ硬水）９００ｍＬで３分間のすすぎを行った。前記すすぎ後の評価布を脱水しアイロンで乾燥したものを洗浄後の評価布とした。
洗浄前の評価布及び洗浄後の評価布５枚について、それぞれ反射率を測色色差計（日本電色社製「ＳＥ２０００」）で測定し、洗浄率（％）を下記式（ｓ）より算出した。
洗浄率（％）＝１００×（洗浄前の評価布の反射率−洗浄後の評価布の反射率）／（洗浄前の評価布の反射率−未汚染布の反射率）  ・・・（ｓ）
なお、式（ｓ）中、未汚染布は、新品の綿肌シャツ（ＢＶＤ社製、綿１００％）の胴部から５ｃｍ×５ｃｍの大きさに切り出した布である。
評価布５枚の洗浄率の平均値を洗浄力とし、下記判断基準で黄ばみに対する洗浄力を評価した。◎、○、△を合格とした。
［黄ばみに対する洗浄力の判断基準］
◎：３０％以上。
○：２５％以上３０％未満。
△：１５％以上２５％未満。
×：０％以上１５％未満。
【００５２】
【表１】
0006607686.tif 000005
【００５３】
【表２】
0006607686.tif 000006
【００５４】
表１〜２に示す結果から、本発明を適用した実施例１〜２０の液体洗浄剤は、泡立ちの低減効果に優れ、かつ、衣類の黄ばみに対する洗浄力に優れることが確認できた。
一方、（Ａ）成分又は（Ｂ）成分を含まない液体洗浄剤（比較例１、２）は、衣類の黄ばみに対する洗浄力が充分でなかった。
（Ｃ）成分を含まない液体洗浄剤（比較例３）、（Ａ）成分に代えて（Ａ’）成分を用いた液体洗浄剤（比較例４）は、泡立ちの低減効果が充分でなかった。
以上の結果から、本発明を適用した液体洗浄剤は、泡立ちの低減効果により優れ、かつ、衣類の黄ばみに対する洗浄力により優れることが確認できた。